(57)【要約】【課題】  本発明は空気清浄機、及びその運転制御方法に関するものである。【解決手段】  本発明の一形態では、インレットとアウトレットを持つキャビネット；前記室内空気に含まれるほこりと匂いをとり除くフィルターアセンブリー；ファン；室内空気の成分をセンシングするセンサーアセンブリー；前記室内空気に不足な成分を少なくとも一種類以上浄化した空気に供給するサプライヤーアセンブリー；そして空気の成分を分析したデータを基礎に前記サプライヤーアセンブリーを制御するコントローラを備えている空気清浄機を提供する。  本発明の他の形態では、室内空気をセンシングする段階；室内空気の成分の中で不足な成分及び不足量を計算する段階；前記不足な成分のうち少なくともある一種類以上を浄化した空気に供給する段階を備えてなる空気清浄機の運転制御方法を提供する。【選択図】      図１
2005090934.tif 000002
【特許請求の範囲】
【請求項１】
室内空気を吸いこむためのインレットと、浄化した空気を排出するためのアウトレットを持つキャビネットと；
前記キャビネット内に提供され、前記インレットを通じて流入した室内空気に含まれたほこりと匂いをとり除くフィルターアセンブリーと；
前記キャビネット内に提供され、前記インレットを通じて室内空気を吸いこんだ後前記アウトレットに吐出するファンと；
前記キャビネット内に提供され、前記インレットを通じて流入した室内空気の成分をセンシングするセンサーアセンブリーと；
前記キャビネット内に提供され、前記フィルターアセンブリーによって浄化された空気に、前記室内空気に不足な成分を少なくとも一種類以上供給するサプライヤーアセンブリー；そして
前記センサーアセンブリーでセンシングされた空気の成分を分析したデータを基礎にして前記サプライヤーアセンブリーを制御するコントローラとを備えている空気清浄機。
【請求項２】
前記センサーアセンブリーは、前記フィルターアセンブリーを通過する前の室内空気の成分をセンシングするように提供されることを特徴とする請求項１に記載の空気清浄機。
【請求項３】
センサーアセンブリーは、
前記室内空気内の酸素含有量を測定する第１センサーと、
前記室内空気の温度を測定する第２センサーと、
前記室内空気内のほこり含有量を測定する第３センサーと、そして
前記室内空気内のガス含有量を測定する第４センサーの中で少なくともいずれか一つ以上を備えている請求項１に記載の空気清浄機。
【請求項４】
前記第４センでは、一酸化炭素（ＣＯ2）、窒素酸化物（ＮＯｘ）中、少なくともいずれか一つ以上の含有量を測定することができることを特徴とする請求項３に記載の空気清浄機。
【請求項５】
前記センサーアセンブリーは、前記室内空気内の湿度を測定する第５センサーを更に備えている請求項３に記載の空気清浄機。
【請求項６】
前記サプライヤーアセンブリーは、前記浄化された空気に酸素を供給する第１サプライヤーを備えている請求項１に記載の空気清浄機。
【請求項７】
前記サプライヤーアセンブリーは、前記浄化された空気に陰イオンを供給する第２サプライヤーを更に備えている請求項６に記載の空気清浄機。
【請求項８】
前記サプライヤーアセンブリーは、前記浄化された空気にテルペン（ｔｅｒｐｅｎｅ）を供給する第３サプライヤーを更に備えている請求項６に記載の空気清浄機。
【請求項９】
前記キャビネット内に提供され、前記浄化された空気を加熱または冷却する冷／暖房装置を更に備えている請求項１に記載の空気清浄機。
【請求項１０】
前記冷／暖房装置は、熱電モジュールを備えている請求項９に記載の空気清浄機。
【請求項１１】
前記熱電モジュールは，
前記浄化された空気と接触するように配置され、発熱または吸熱反応が行われる第１側、そして
前記浄化された空気と接触しないように配置され、前記第１側と反対の反応が行われる第２側を備えている請求項１０に記載の空気清浄機。
【請求項１２】
前記ファンは回転速度が可変することを特徴とする請求項１に記載の空気清浄機。
【請求項１３】
インレットを通じてキャビネット内部に流入する室内空気をセンシングする段階と；
センシングされたデータと予め入力されたデータを比べて前記室内空気の成分中、不足な成分及び不足量を計算する段階と；
フィルターアセンブリーによって浄化された後、ファンによってアウトレットに移動する空気に、前記不足な成分中で少なくともある一種類以上を供給する段階と
を備えている空気清浄機の運転制御方法。
【請求項１４】
前記浄化された後、アウトレットに移動する空気に供給される成分は酸素と陰イオンの中でいずれか一つ以上を含むことを特徴とする請求項１３に記載の空気清浄機の運転制御方法。
【請求項１５】
前記浄化されたアウトレットに移動する空気にテルペン（ｔｅｒｐｅｎｅ）を更に供給する段階を更に備えている請求項１３に記載の空気清浄機の運転制御方法。
【請求項１６】
前記センシングされたデータに基づき、前記室内空気に含まれたほこり量とガス量のうち、少なくともいずれか一つを計算する段階と；そして
計算されたほこり量とガス量のうち少なくともいずれか一つに根拠して前記ファンの回転速度を制御する段階を更に備えている請求項１３に記載の空気清浄機の運転制御方法。
【請求項１７】
前記ファンは、
前記ほこり量またはガス量が基準値範囲より多く含まれる場合のための高速、前記ほこり量またはガス量が基準値範囲内にある場合のための中速、そして
前記ほこり量またはガス量が基準値範囲より少なく含まれる場合のための低速の中で、いずれか一つのスピードで回転するように制御されることを特徴とする請求項１６に記載の空気清浄機の運転制御方法。
【請求項１８】
センシングされたデータに基づき、室内の温度が夏または冬のうちいずれの季節に属するかを判断する段階と；そして
前記判断された季節に基づき、前記浄化された後アウトレットに移動する空気を冷却または加熱する段階を更に備えている請求項１３に記載の空気清浄機の運転制御方法。
【請求項１９】
前記判断された季節が夏であれば、前記室内空気より１−３℃低い空気を室内に供給することを特徴とする請求項１８に記載の空気清浄機の運転制御方法。
【請求項２０】
前記判断された季節が冬であれば、前記室内空気より１−３℃高い空気を室内に供給することを特徴とする請求項１８に記載の空気清浄機の運転制御方法。
【発明の詳細な説明】
【技術分野】
【０００１】
本発明は空気清浄機に関するもので、室内空気に含まれた異物をとり除くだけでなく、室内空気に不足な成分を供給して快適な室内環境を提供することができる空気清浄機、及びその運転制御方法に関するものである。
【背景技術】
【０００２】
空気清浄機とは、快適な室内環境を提供するように、室内空気に含まれたほこりと各種匂いなどをとり除く器機である。図６及び図７には一般的な空気清浄機が図示されており、以下ではこれらの図面を参照して一般的な空気清浄機の構造について説明する。
【０００３】
図６を参照すれば、一般的な空気清浄機はキャビネット１０、フィルターアセンブリー２０、ファンアセンブリー３０、そしてガイド４０を備えている。
前記キャビネット１０はインレット１１とアウトレット１２を持つ。前記インレット１１は、室内空気が前記キャビネット１０内部に流れ込めるように提供されることで、例えば、前記キャビネット１０の前面下部に提供される。前記アウトレット１２はキャビネット１０内で浄化された空気が室内空間に吐き出されるように提供されるもので、例えば、前記キャビネット１０の上面後側に提供される。
【０００４】
前記フィルターアセンブリー２０は、第１フィルター２１と第２フィルター２２を備えている。前記第１フィルター２１は前記インレット１１を通じて流れ込んだ室内空気に含まれるほこりをとり除き、前記第２フィルター２２は前記室内空気に含まれる匂い粒子をとり除く。ここで、第１フィルター２１は前記キャビネット１０内に前記インレット１１と接するように配置され、第２フィルター２２は前記第１フィルター２１で濾過することができなかった微細なほこりまたは匂い粒子をとり除くように前記第１フィルター２１後側に配置する。
前記ファンアセンブリー３０はファン３１とファンハウジング３２を備えている。前記ファン３１は前記キャビネット１０内で前記フィルターアセンブリー２０とアウトレット１２間に提供される。そして前記ファンハウジング３２は前記ファン３１をくるむように提供される。
【０００５】
前記ガイド４０は、図７に図示したように前記ファン３１を経由した空気を前記アウトレット１２に案内するように前記キャビネット１０内に提供される。
作動において、前記ファン３１が回転すれば、室内空気は前記インレット１１を通じてキャビネット１０内に流れ込む。前記キャビネット１０内に流れ込んだ空気は前記フィルターアセンブリー２０を通過する。この時、第１フィルター２１が前記室内空気に含まれるほこりをとり除き、前記第２フィルター２２が匂い粒子をとり除く。ほこりと匂いの除去された空気は前記ファン３１に流れ込み、前記ガイド４０の案内を受けて前記アウトレット１２に移動した後室内空間に吐き出される。
【０００６】
前記したように、一般的な空気清浄機は単純にほこりと匂い粒子だけをとり除く。従って、浄化された空気が室内に供給されても室内で活動する使用者が空気清浄機の効果を実質的に体感しにくい。この場合、使用者は製品に対する信頼を持つことができない。
【０００７】
そして、一般的な空気清浄機は室内温度と等しい温度の空気を室内に供給する。従って、暑い夏季または寒い冬季に前記空気清浄機から吐き出される空気が使用者の肌に直接触れる場合、使用者が不快感を感じることがある。また、使用者は前記空気清浄機とは別に、冷房または暖房ができる空気調和機を使わなければならない問題がある。
【発明の開示】
【発明が解決しようとする課題】
【０００８】
本発明は前記した問題を解決するために案出されたもので、その目的は室内空気に含まれた異物をとり除くだけでなく、室内空気に不足な成分を供給して快適な室内環境を提供することができる空気清浄機、及びその運転制御方法を提供するものである。
【課題を解決するための手段】
【０００９】
前記目的を果たすための本発明の一形態では、室内空気を吸いこむためのインレットと浄化された空気を排出するためのアウトレットを持つキャビネット；前記キャビネット内に提供され、前記インレットを通じて流れ込んだ室内空気に含まれるほこりと匂いをとり除くフィルターアセンブリー；前記キャビネット内に提供されて、前記インレットを通じて室内空気を吸いこんだ後前記アウトレットに吐き出すファン；前記キャビネット内に提供され、前記インレットを通じて流れ込んだ室内空気の成分をセンシングするセンサーアセンブリー；前記キャビネット内に提供されて、前記フィルターアセンブリーによって浄化された空気に、前記室内空気に不足な成分を少なくとも一種類以上供給するサプライヤーアセンブリー；そして前記センサーアセンブリーでセンシングされた空気の成分を分析したデータを基礎に前記サプライヤーアセンブリーを制御するコントローラを備えている空気清浄機を提供する。
【００１０】
前記センサーアセンブリーは、前記フィルターアセンブリーを通過する前の室内空気の成分をセンシングするように提供できる。
このような前記センサーアセンブリーは、前記室内空気内の酸素含有量を測定する第１センサー、前記室内空気の温度を測定する第２センサー、前記室内空気内のほこり含有量を測定する第３センサー、そして前記室内空気内のガス含有量を測定する第４センサーのうち、少なくともいずれか一つ以上を備えている。
【００１１】
前記第４センサーでは、一酸化炭素（ＣＯ2）、窒素酸化物（ＮＯｘ）中少なくともいずれか一つ以上の含有量を測定することができることが望ましい。
前記センサーアセンブリーは、前記室内空気内の湿度を測定する第５センサーを更に備えることもできる。
【００１２】
前記サプライヤーアセンブリーは、前記浄化された空気に酸素を供給する第１サプライヤーを備えてなる。そして前記サプライヤーアセンブリーは、前記浄化された空気に陰イオンを供給する第２サプライヤーを更に含んだり、前記浄化された空気にテルペン（ｔｅｒｐｅｎｅ）を供給する第３サプライヤーを更に備えてなることができる。
【００１３】
一方、前記冷／暖房装置は、前記キャビネット内に提供されて、前記浄化された空気を加熱または冷却する冷／暖房装置を更に備えてなる。ここで、前記冷／暖房装置は、熱電モジュールを備えてなる。この場合、前記熱電モジュールは、前記浄化された空気と接触するように配置され、発熱または吸熱反応が成り立つ第１側、そして前記浄化された空気と接触しないように配置され、前記第１側と反対の反応が成り立つ第２側を含めてなる。
前記空気清浄機で、前記ファンは回転速度が可変することが望ましい。
【００１４】
一方、前記目的を果たすための本発明の他の形態では、インレットを通じてキャビネット内部に流れ込む室内空気をセンシングする段階；センシングされたデータと既に入力されたデータを比べ、前記室内空気の成分の中で不足な成分及び不足量を計算する段階；フィルターアセンブリーによって浄化された後ファンによってアウトレットに移動する空気に、前記不足な成分のうち少なくともある一種類以上を供給する段階を備えている空気清浄機の運転制御方法を提供する。
【００１５】
ここで、前記浄化された後アウトレットに移動する空気に供給される成分は酸素と陰イオンのうちいずれか一つ以上を含むことが望ましい。
前記空気清浄機の運転制御方法は、前記浄化されたアウトレットに移動する空気にテルペン（ｔｅｒｐｅｎｅ）を更に供給する段階を更に備えてなることができる。
【００１６】
一方、本発明による方法は、前記センシングされたデータに基づき、前記室内空気に含まれたほこり量とガス量のうち少なくともいずれか一つを計算する段階；そして計算されたほこり量とガス量のうち少なくともいずれか一つを根拠に、前記ファンの回転速度を制御する段階を更に備えてなる。
この場合、前記ファンは、前記ほこり量またはガス量が基準値範囲より多く含まれる場合のための高速、前記ほこり量またはガス量が基準値範囲内にある場合のための中速、そして前記ほこり量またはガス量が基準値範囲より少なく含まれる場合のための低速のうち、いずれか一つのスピードで回転されるように制御されることが望ましい。
【００１７】
本発明による方法は、センシングされたデータに基づき、室内の温度が夏または冬のうちどの季節に属するかを判断する段階；そして前記判断された季節に基づき、前記浄化された後アウトレットに移動する空気を冷却または加熱する段階を更に備えてなることができる。
【００１８】
この場合、前記判断された季節が夏であれば、前記室内空気より１−３℃低い空気を室内に供給し、また前記判断された季節が冬であれば、前記室内空気より１−３℃高い空気を室内に供給することが望ましい。
【発明の効果】
【００１９】
本発明は、室内で室内空気を浄化するばかりでなく、室内空気の成分中、不足な成分と人体に有益な効果を提供することができる他の成分を室内に供給できるので使用者に快適な環境を提供する。
そして、本発明は室内空気に含まれたほこり及びガス量を考慮して、時間当り空気浄化量を制御することができる。従って、室内空気が汚れ過ぎた場合、短時間内に室内空気を浄化することができ、室内空気が汚染しない場合、エネルギー消費を節減することができる。
また、本発明は室内空気の温度や湿度などを考慮して室内を冷房または暖房することができる。したがって使用者にいつも快適な環境を提供することができ、製品に対する使用者の満足感と信頼感を高めることができる。
【発明を実施するための最良の形態】
【００２０】
以下前記目的を具体的に実現することができる本発明の実施例が添付された図面を参照して説明する。本実施例を説明するにおいて、同一構成については同一名称及び符号が使われているため，これによる付加的な説明は下記で省略する。
図１及び図２を参照すれば、本発明による空気清浄機はキャビネット１００、フィルターアセンブリー２００、ファン３１０、センサーアセンブリー５００、サプライヤーアセンブリー６００、そしてコントローラ８００を備えている。
【００２１】
前記キャビネット１００は空気清浄機の外形を成すもので、室内空気が内部に流れ込むインレット１１０、そして内部で浄化された空気が室内に排出されるアウトレット１２０を持つ。ここで、前記インレット１１０は例えば、図１に図示したように前記キャビネット１００の前面下部に提供されて、前記アウトレット１２０は前記キャビネット１００の上面裏側に提供される。
【００２２】
しかし、前記インレット１１０とアウトレット１２０は他の位置に提供されても関係ない。例えば、前記インレット１１０は前記キャビネット１００の前面中央や上部に提供されることもでき、前記キャビネット１００の両側面に提供されることもできる。そして前記アウトレット１２０は前記キャビネット１００の上面中央や先方に提供されることもでき、前記キャビネット１００の両側面に提供されることもできる。
【００２３】
一方、前記アウトレット１２０には多数のルーバー１２１が提供される。前記アウトレット１２０にルーバー１２１が提供されれば、使用者は浄化された空気が吐き出される方向を容易に変更することができるようになる。
前記フィルターアセンブリー２００は前記キャビネット１００内に前記インレット１１０と接するように提供され、第１フィルター２１０と第２フィルター２２０を備えている。ここで前記第１フィルター２１０は前記インレット１１０に接するように配置され、前記インレット１１０を通じて流れ込んだ室内空気に含まれるほこりをとり除く。前記第２フィルター２２０は前記第１フィルター２１０後側に提供され、前記第１フィルター２１０を通過した室内空気に含まれる微細なほこり及び匂い粒子をとり除く。
【００２４】
前記ファン３１０は前記キャビネット１００内で前記フィルターアセンブリー２００と前記アウトレット１２０との間に提供される。前記ファン３１０は前記インレット１１０を通じて室内空気を吸いこんだ後、前記アウトレット１２０に吐き出す。前記ファン３１０は例えば、軸方向に空気を吸いこんだ後、円周方向に吐き出すシロッコファンで成り立つことができる。このような、前記ファン３１０は回転速度を可変させられるように提供されることが望ましい。
【００２５】
前記のように提供されるファン３１０は、その周りを取り囲むように提供されるファンハウジング３２０と共にファンアセンブリー３００を成す。そして、前記ファンアセンブリー３００と前記アウトレット１２０との間には、前記ファン３１０に吐き出された空気をアウトレット１２０に案内するガイド４００が提供される。
【００２６】
一方、前記センサーアセンブリー５００は、前記インレット１１０を通じて前記キャビネット１００内に流れ込んだ室内空気の成分をセンシングするように前記キャビネット１００内に提供される。このようなセンサーアセンブリー５００は第１センサー５１０、第２センサー５２０、第３センサー５３０、そして第４センサー５４０のうちいずれか一つ以上を備えている。
【００２７】
前記第１センサー５１０は、前記室内空気内の酸素含有量を測定するための酸素センサーで、前記第２センサー５２０は前記室内空気の温度を測定するための温度センサーである。そして前記第３センサー５３０は前記空気内のほこり含有量を測定するためのほこりセンサーで、前記第４センサー５４０は前記室内空気内のガス含有量を測定するためのセンサーである。
【００２８】
ここで、前記第４センサー５４０は一酸化炭素（ＣＯ2）、窒素酸化物（ＮＯｘ）のうち少なくともいずれか一つ以上の含有量を測定できることが望ましい。勿論、前記第４センサー５４０は前記ガスの他に人体に有害なガス、または陰イオンを測定するように提供されることもできる。
【００２９】
一方、本発明による空気清浄機で前記センサーアセンブリー５００は第５センサー５５０を更に備えてなることができる。ここで、前記第５センサー５５０は前記空気内の湿度を測定する湿度センサーである。
【００３０】
前記センサーアセンブリー５００はキャビネット１００内で前記室内空気が流動する経路上に提供される。ここで、前記室内空気が流動する経路であるということは、前記インレット１１０から前記アウトレット１２０まで前記室内空気が通過するすべての空間のことを言う。
【００３１】
しかし、前記と一緒に構成されるセンサーアセンブリー５００は、図１に図示したように、前記インレット１１０とフィルターアセンブリー２００の間に提供されることが望ましい。それでは、前記センサーアセンブリー５００は前記フィルターアセンブリー２００によって浄化される前の室内空気の成分をセンシングするようになるので、室内空間に存在する室内空気に関する正確なデータを得ることができる。
【００３２】
前記サプライヤーアセンブリー６００は、前記キャビネット１００内に前記室内空気が流動する経路上に提供される。このように提供される前記サプライヤーアセンブリー６００は、前記フィルターアセンブリー２００によって浄化された空気に、前記室内空気に不足な成分、例えば、酸素などを少なくとも１種類以上供給する。
【００３３】
このような前記サプライヤーアセンブリー６００は、前記浄化された空気に酸素を供給する第１サプライヤー６１０を備えている。前記第１サプライヤー６１０は酸素を保存するコンテナ６１１、そして前記コンテナ６１１に繋がれたチューブ６１２を備えている。ここで、前記コンテナ６１１は酸素を充電するように構成され、前記キャビネット１００内に固定または分離することができるように装着される。そうして酸素を使い終わった時、使用者は前記充電されたコンテナで交換することができて便利である。一方、前記チューブ６１２の一端部は図１に図示したように前記室内空気が流動する経路上に位置するように配置され、前記コンテナ６１１に保存された酸素を浄化された空気に供給する。
【００３４】
前記サプライヤーアセンブリー６００は、前記浄化された空気に陰イオンを供給する第２サプライヤー６２０を更に備えてなることができる。前記陰イオンは空気に含まれた有害な陽イオンを中和させて空気を浄化し、人体に有益な効果を発揮するといわれている。例えば、前記陰イオンは空気中に存在する亜硫酸ガス、窒素酸化物、一酸化炭素など陽イオンを形成する各種物質を中和させて沈澱させることで空気を浄化する。また、人体の血を清くして、神経を安定させて、細胞の活性化を促進させる。
【００３５】
前記サプライヤーアセンブリー６００は、前記浄化された空気にテルペン（ｔｅｒｐｅｎｅ）を供給する第３サプライヤー６３０を更に備えてなることができる。ここで、前記テルペンは、木がバクテリアなどの細菌と虫から自分を保護するために発散する殺菌、殺虫力を持った芳香性化学物質であるピトンチド（ｐｈｙｔｏｎｃｉｄｅ）の主な成分であり、消毒作用と肌老廃物分泌促進及び心肺機能強化効能があり、自律神経を刺激して心身を安定させる。従って、前記テルペンが含まれた空気を吸えば森林浴（ウッズベーシング）効果を得ることができる。
前記のように構成されたサプライヤーアセンブリー６００は前記キャビネット１００内に、前記室内空気が流動する経路上に提供されることができるが、図１に図示したように前記ファン３１０と前記アウトレット１２０との間に提供されることが望ましい。
【００３６】
前記コントローラ８００は、前記センサーアセンブリー５００でセンシングされた空気の成分を分析したデータを基礎として前記サプライヤーアセンブリー６００を制御する。例えば、前記キャビネット１００内に流入した室内空気に酸素が不足な場合、前記コントローラ８００は前記第１サプライヤー６１０を作動させて、アウトレット１２０に排出される浄化された空気に酸素を供給する。もし、前記室内空気に陰イオンが不足な場合、前記コントローラ８００は前記第２サプライヤー６２０を制御して前記浄化された空気に陰イオンを供給する。勿論、前記コントローラ８００は前記第３サプライヤー６３０を制御して前記浄化された空気にテルペンも供給する。
【００３７】
一方、本発明による空気清浄機は、冷／暖房装置７００を更に備えてなることができる。前記冷／暖房装置７００は、室内温度が人が生活するのに快適な温度範囲を維持するように、前記キャビネット１００内の浄化された空気を加熱または冷却する。
【００３８】
本発明では前記冷／暖房装置７００で熱電モジュールを提示する。前記熱電モジュールに対して簡単に説明すれば次の通りである。
前記熱電モジュールに電流を印加すれば、前記熱電モジュールはペルチエ効果によって、周りから熱を吸収する低温部と、周りに熱を放出する高温部を持つようになる。そして前記熱電モジュールに印加される電流の量を変化させれば、前記低温部と高温部で成り立つ熱交換量が変化する。そして、前記熱電モジュールに印加される電流の方向を変えれば、前記低温部と高温部は互いに変わるようになる。
【００３９】
このように作動する、熱電モジュールは機械的な作動部分がなく、騷音及び震動がない。そして冷却及び加熱速度が早く正確な温度操作が可能である。そして、小型化及び軽量化が易しい。従って、本発明では前記した特徴を持つ熱電モジュールを冷／暖房装置７００で採択するようになったのである。
前記した冷／暖房装置７００は前記キャビネット１００内に提供される。ここで、発熱または吸熱反応が成り立つ熱電モジュールの第１側７１０は、前記浄化された空気と接触するように配置され、前記第１側７１０と反対の反応が行われる熱電モジュールの第２側７２０は、前記浄化された空気と接触しないように配置される。このように提供される冷／暖房装置７００は前記コントローラ８００によって制御される。
【００４０】
以下では前記した構成を持つ本発明による運転制御方法による前記空気清浄機の作動について図３を参照して説明する。参考までに図３は室内空気に不足な成分を考慮して、本発明による空気清浄機の運転を制御する方法をあらわしたフローチャートである。
【００４１】
まず、空気清浄機が作動すれば、前記ファン３１０が回転しながら室内空気がインレット１１０を通じてキャビネット１００内に流れ込む。そうなれば、前記センサーアセンブリー５００が前記室内空気をセンシングした後（Ｓ１１０）、センシングされたデータを前記コントローラ８００に伝送する。ここで、前記コントローラ８００に伝送されたデータは例えば、前記室内空気に含まれる酸素及び陰イオンの含有量のうち少なくともいずれか一つ以上に関するものである。勿論、前記データは、前記室内空気のほこり及びガス含有量、温度、そして湿度などに関するものを含むこともできる。
【００４２】
前記センサーアセンブリー５００を経由した室内空気は、前記フィルターアセンブリー２００を通過する。この時、前記第１フィルター２１０は前記室内空気に含まれるほこりをとり除き、前記第２フィルター２２０は前記第１フィルター２１０を通過しながら除去されない微細なほこり及び匂い粒子、すなわちガスをとり除く。前記フィルターアセンブリー２００によって浄化された空気は前記ファン３１０を経由して前記アウトレット１２０に移動する。
【００４３】
一方、前記センサーアセンブリー５００から前記室内空気の成分に関するデータを送信されたコントローラ８００は、前記センシングされたデータと予め入力されたデータを比べて前記室内空気の成分のうち不足な成分、及びその不足量を計算する（Ｓ１２０）。この時、本発明では前記既に入力されたデータは人体に有益となる程度の含有量になるように設定することを提示する。勿論、前記予め入力されたデータは使用者が前記コントローラ８００と繋がれたコントロールパネル（図示せず）を操作して任意に設定することもできる。
【００４４】
前記室内空気の成分分析を終えたコントローラ８００は空気中のどんな成分が不足なのかを判断した後（Ｓ１３０，Ｓ１５０）、前記サプライヤーアセンブリー６００を制御して前記  アウトレット１２０に移動する室内空気に不足な成分のうち少なくとも一種類以上を供給する（Ｓ１４０，  Ｓ１６０）。この過程について更に詳しく説明すれば次の通りである。
【００４５】
例えば、前記室内空気の酸素濃度が都会の平均酸素濃度である２０．５％以下と判断された場合（Ｓ１３０）、前記コントローラ８００は前記室内空気の酸素濃度がおおよそ２０．５％以上（望ましくは２１．５程度）になるまで前記第１サプライヤー６１０を作動させて前記アウトレット１２０に移動する空気に酸素を供給する（Ｓ１４０）。
【００４６】
そして例えば、前記室内空気に含まれる陰イオン個数が、都心の平均陰イオン数である３５０／ｃｍ３以下と判断された場合（Ｓ１５０）、前記コントローラ８００は前記室内空気の陰イオン個数がおおよそ３５０／ｃｍ３以上になるまで前記第２サプライヤー６２０を作動させて前記アウトレット１２０に移動する空気に陰イオンを供給する（Ｓ１６０）。
【００４７】
このように前記陰イオンの不足量に基づき、前記第２サプライヤー６２０を制御するためには前記センサーアセンブリー５００に前記陰イオンの含有量をセンシングすることができるセンサーが含まれることが望ましい。このようなセンサーの役目はガス含有量を測定することができる前記第４センサー５４０が担当するか、別に装着された他のセンサーが担当することができる。一方、前記陰イオンの含有量をセンシングすることができるセンサーがない場合、前記コントローラ８００は前記第２サプライヤー６２０を周期的に作動させることもできる。
【００４８】
一方、前記コントローラ８００は前記第３サプライヤー６３０を制御して、前記アウトレット１２０に移動する浄化された空気に、前記テルペンを更に供給することができる（Ｓ１７０）。ここで、前記テルペンは前記空気清浄機が運転される間中供給されるか、周期的に供給されることができる。勿論、前記室内空気に含まれたテルペンの含有量を感知してテルペン含有量が不足な場合にだけ供給されることもできる。
【００４９】
前記のように前記サプライヤーアセンブリー６００によって不足な成分が少なくとも一種類以上供給された浄化された空気は、前記アウトレット１２０を通じて室内空間に吐き出される。従って、本発明による空気清浄機は十分な量の酸素、陰イオンまたはテルペンを室内空気に供給するので、いつも快適な室内環境を造成することができる。
【００５０】
一方、本発明はまた，前記室内空気のほこり及びガスの含有量を考慮して前記空気清浄機の運転を制御する方法を更に提供する。これについて図４を参照して説明する。
図４に図示した方法によれば、前記コントローラ８００は室内空気のほこり及び匂い粒子、すなわちガスの含有量に基づきファン３１０の回転速度を調節する。従って、図４に図示した方法は前記図３に図示した方法と同時に進めることができる。以下ではこれに対して詳しく説明する。
【００５１】
前記室内空気に含まれるほこり量とガス量に対する情報は、前記センサーアセンブリー５００によってセンシングされた後（Ｓ２１０）、コントローラ８００に伝送される。そして前記コントローラ８００は、前記センサーアセンブリー５００によってセンシングされたデータに基づき、前記室内空気に含まれるほこり量及びガス量のうち少なくともいずれか一つを計算する（Ｓ２２０）。
【００５２】
前記室内空気のほこり及びガス含有量が計算されれば、前記コントローラ８００は予め設定されたデータと比べて、前記室内空気に含まれるほこりまたはガス量が正常か？過度か？或いは小さいか？を判断する（Ｓ２３０、Ｓ２４０）。参考までに、図４には前記コントローラ８００が室内空気のほこり含有量の程度を先に判断した後、前記ガス含有量の程度を後で判断する方法が例示的に図示されている。
【００５３】
前記室内空気に含まれた前記ほこりまたはガス量の程度が判断されれば、前記コントローラ８００はこれに基づきファン３１０の回転速度を制御する。
この時、前記コントローラ８００は前記室内空気に含まれるほこり量またはガス量が予め設定された基準値範囲より多く含まれる場合、前記ファン３１０を高速で回転させる（Ｓ２３２、Ｓ２４２）。そうなれば、空気清浄機は更に多量の空気を浄化するようになるので室内空気は短時間内に浄化される。
そして前記室内空気に含まれるほこりまたはガス量が前記基準値範囲内にある場合、前記コントローラ８００は前記ファン３１０を中速で回転させる（Ｓ２３１，Ｓ２４１）。
【００５４】
最後に、前記ほこりまたはガス量が前記基準値範囲より少なく含まれる場合、前記コントローラ８００は前記ファン３１０を低速で回転させる（Ｓ２３３、Ｓ２４３）。前記ファン３１０が低速回転されれば、電力消耗を防止することができる。
【００５５】
前記した本発明による方法は、前記室内空気に含まれるほこり及びガス量のうちいずれか一つに基づくか、これら全部に基づき前記ファン３１０の回転速度を制御することができる。ここで、前記ファン３１０の回転速度を前記室内空気のほこり及びガス含有量全部に基づき制御する場合、前記ほこりとガスの含有量が互いに一致しない場合には含有量が多いものに基づきファン３１０を制御することが望ましい。一方、本発明による方法は、室内空気の湿度によって前記ファン３１０の回転速度を制御することもできる。
【００５６】
本発明はまた、前記室内空気の温度を考慮して前記空気清浄機の運転を制御する方法を更に提供する。これについて図５を参照して説明する。
図５に図示された方法によれば前記コントローラ８００は室内空気の温度に基づき前記冷／暖房装置７００を制御する。従って、図５に図示した方法は前記図３及び図４に図示した方法と同時に進めることができる。以下ではこれについて詳しく説明する。
【００５７】
前記室内空気の温度に対する情報は前記センサーアセンブリー５００によってセンシングされた後（Ｓ３１０）、前記コントローラ８００に伝送される。そして前記コントローラ８００は前記センサーアセンブリー５００によってセンシングされたデータを温度に関して予め設定されたデータと比べて現在季節を判断する（Ｓ３２０）。例えば、前記室内空気の温度が夏にあたる温度範囲なのか、あるいは冬にあたる温度範囲なのかを確認することで季節確認が可能となる。勿論、前記季節の判断及び決定は使用者が前記コントロールパネル（図示せず）を直接操作して選択することもできる。
【００５８】
季節が判断されたら、前記コントローラ８００は判断された季節及び現在温度に基づき、前記冷／暖房装置７００に印加される電流の方向及び電流量を制御する。
例えば、判断された季節が夏で、現在室内空気の温度が例えば２７℃であれば、前記コントローラ８００は冷／暖房装置７００の前記第１側７１０が吸熱反応を、そして前記第２側７２０が発熱反応をするように電流の印加方向を制御する。そして前記浄化された後、前記第１側７１０と熱交換した空気が前記空気清浄機外部の室内空気より１〜３℃（望ましくは２℃程度）低くなるように電流の強度を制御する。そうなれば、前記アウトレット１２０を通じて吐き出される浄化された空気は室内を冷房する役目をするので、快適な室内環境を造成することができる。
【００５９】
もし、確認された季節が冬で、現在室内空気の温度が例えば１８℃であれば、前記コントローラ８００は、冷／暖房装置７００の第１側７１０が発熱反応を、そして前記第２側７２０が吸熱反応をするように電流の印加方向を制御する。そして前記浄化された後前記第１側７１０と熱交換した空気が前記空気清浄機外部の室内空気より１〜３℃（望ましくは２℃程度）高くなるように電流の強度を制御する。そうなれば、前記アウトレット１２０を通じて吐き出される浄化された空気は室内を暖房する役目をするので、快適な室内環境を造成することができる。
【産業上の利用可能性】
【００６０】
以上で説明したように、本発明は室内で室内空気を浄化するばかりでなく、室内空気の成分中、不足な成分と人体に有益な効果を提供することができる他の成分を室内に供給できるので使用者に快適な環境を提供する。
そして、本発明は室内空気に含まれたほこり及びガス量を考慮して、時間当り空気浄化量を制御することができる。従って、室内空気が汚れ過ぎた場合、短時間内に室内空気を浄化することができ、室内空気が汚染しない場合、エネルギー消費を節減することができる。
【００６１】
また、本発明は室内空気の温度や湿度などを考慮して室内を冷房または暖房することができる。したがって使用者にいつも快適な環境を提供することができ、製品に対する使用者の満足感と信頼感を高めることができる。
以上本発明の好適な一実施態様について説明したが、前記実施態様に限定されず、本発明の技術思想に基づいて種々の変形が可能である。
【図面の簡単な説明】
【００６２】
【図１】本発明による空気清浄機の側断面図である。
【図２】図１のＩ−Ｉでは断面図である。
【図３】室内空気に不足な成分を考慮して空気清浄機の運転を制御する方法をあらわしたフローチャートである。
【図４】室内空気に含まれるほこり及びガスの量を考慮して空気清浄機の運転を制御する方法をあらわしたフローチャートである。
【図５】室内空気の温度を考慮して空気清浄機の運転を制御する過程をあらわしたフローチャートである。
【図６】一般的な空気清浄機の構造をあらわした分解斜視図である。
【図７】図６の空気清浄機の側断面図である。
【符号の説明】
【００６３】
１００…キャビネット
２００…フィルターアセンブリー
３００…ファンアセンブリー
４００…ガイド
５００…センサーアセンブリー
６００…サプライヤーアセンブリー
７００…冷／暖房装置
８００…コントローラ
【図１】
2005090934.tif 000003
【図２】
2005090934.tif 000004
【図３】
2005090934.tif 000005
【図４】
2005090934.tif 000006
【図５】
2005090934.tif 000007
【図６】
2005090934.tif 000008
【図７】
2005090934.tif 000009